(57)【要約】【課題】  従来の炭酸水を作成するには、施術者による開閉弁の操作によって水（湯）と炭酸ガスの混合が開始されるものであるため、被施術者の洗髪作業を行いながらの開閉弁の操作であるため洗髪作業に集中できないといった問題があり、また常時、炭酸ガスはボンベより供給された状態であることから、開閉弁の閉止状態が不完全であるような場合には、炭酸ガスが漏れるといった問題があった。【解決手段】  炭酸ガスボンベ１と、該ボンベよりの炭酸ガスが供給され施術者が足で操作することで前記供給された炭酸ガスの流量を一定にして吐出するフットペダル装置３と、該フットペダル装置よりの炭酸ガスと止水栓５よりの水（湯）が供給されると炭酸ガスと水（湯）を混合して炭酸水を作成する炭酸水発生器４とより構成した炭酸水吐出装置である。【選択図】        図２
2014237084.tif 000002
【特許請求の範囲】
【請求項１】
炭酸ガスボンベと、該ボンベよりの炭酸ガスが供給され施術者が足で操作することで前記供給された炭酸ガスの流量を一定にして吐出するフットペダル装置と、該フットペダル装置よりの炭酸ガスと水（湯）を混合して炭酸水を生成する炭酸水発生器とより構成したことを特徴とする炭酸水吐出装置。
【請求項２】
前記フットペダル装置に供給された炭酸ガスを、施術者の足で少なくとも２つの異なる流量から選択、吐出可能とする請求項１記載の炭酸水吐出装置。
【請求項３】
施術者がフットペダル装置を踏み込んで弁が開放されて通過する炭酸ガスを小口径の孔を介して水（湯）中に噴射させるようにしたことを特徴とする請求項１又は２記載の炭酸水吐出装置。
【請求項４】
前記炭酸ガスの吐出量を一定量にする手段が、前記ボンベよりの炭酸ガスを通過させる弁を施術者がフットペダルの踏み込み量による開度毎に一定流量の炭酸ガスを吐出させるようにしたことを特徴とする請求項１又は２記載の炭酸水吐出装置。
【発明の詳細な説明】
【技術分野】
【０００１】
本発明は、理美容院等において洗髪等で使用される炭酸水吐出装置であって、施術者がフットペダルを踏み込むことで炭酸ガスボンベより炭酸ガスと止水栓より供給される水との混合を行う。また、前記フットペダルの踏み込み位置を変えることで炭酸ガスの濃度を変えて炭酸水による洗髪が行えるようにした炭酸水吐出装置に関する。
【背景技術】
【０００２】
従来における炭酸水吐出装置としては、例えば、特開２０１０−２６４３６４号公報に記載された発明がある。この発明は、止水栓とシャワーホース間に本管部を取付け、該本管部に手動で操作する炭酸ガス開閉弁が取付けられた分岐管を接続し、該分岐管の下端に炭酸ガスボンベよりのホースを接続した構造のものである。
【０００３】
そして、常時ガスボンベを開放した状態となし、前記開閉弁を開放することで炭酸ガスが供給され、本管部において水（湯）と炭酸ガスが混合されて炭酸水が生成されるものである。
【先行技術文献】
【特許文献】
【０００４】
【特許文献１】特開２０１０−２６４３６４号公報
【発明の概要】
【発明が解決しようとする課題】
【０００５】
ところで、前記した公知文献にあっては、施術者による開閉弁の操作によって水（湯）と炭酸ガスの混合が開始されるものであるため、被施術者の洗髪作業を行いながらの開閉弁の操作であるため洗髪作業に集中できないといった問題があり、また常時、炭酸ガスはボンベより供給された状態であることから、開閉弁の閉止を忘れた場合には、炭酸ガスが無駄に吐出され続けるといった問題があった。
【０００６】
本発明は前記した問題点を解決せんとするもので、その目的とするところは、洗髪を行うためのシャンプーボールの近傍に施術者が足で操作するフットペダル装置を設置し、炭酸ガスボンベと炭酸水発生器との間に接続された前記フットペダル装置により炭酸ガスを炭酸水発生器に供給可能となし、また、フットペダル装置の踏み込み位置を変えることで炭酸水発生器への炭酸ガスの量を変えて高濃度と低濃度の炭酸水を作成することが可能な炭酸水吐出装置を提供せんとするにある。
【課題を解決するための手段】
【０００７】
本発明の炭酸水吐出装置は前記した目的を達成せんとするもので、請求項１の手段は、炭酸ガスボンベと、該ボンベよりの炭酸ガスが供給され施術者が足で操作することで前記供給された炭酸ガスの流量を一定にして吐出するフットペダル装置と、該フットペダル装置よりの炭酸ガスと水（湯）を混合して炭酸水を生成する炭酸水発生器とより構成したことを特徴とする。
【０００８】
請求項２の手段は、前記した請求項１において、前記フットペダル装置に供給された炭酸ガスを、施術者の足で少なくとも２つの異なる流量から選択、吐出可能とする。
【０００９】
請求項３の手段は、前記した請求項１又は２において、施術者がフットペダル装置を踏み込んで弁が開放されて通過する炭酸ガスを小口径の孔を介して水（湯）中に噴射させるようにしたことを特徴とする。
【００１０】
請求項４の手段は、前記した請求項１又は２において、前記炭酸ガスの吐出量を一定量にする手段が、前記ボンベよりの炭酸ガスを通過させる弁を施術者がフットペダルの踏み込み量による開度毎に一定流量の炭酸ガスを吐出させるようにしたことを特徴とする。
【発明の効果】
【００１１】
本発明は前記したように、施術者がペダル装置を足の操作で踏み込むと一定流量の炭酸ガスが吐出、炭酸水発生器に供給され、かつ止水栓からの水（湯）と混合することにより炭酸水を生成できるので、従来のように手を使用して炭酸ガスを吐出させることがないので、施術作業を止めることなく作業を行え、作業性の向上が図れる。さらに炭酸ガスの吐出は足での操作を行なっている時のみ行われるので炭酸ガスが無駄に消費されることがない。
【００１２】
また、施術者の足でフットペダル装置を操作することにより少なくとも２つの一定流量で吐出させることができるので、施術によって炭酸水の濃度を変えて施術を行なうことが可能となる。
【００１３】
さらに、施術者がペダル装置を踏み込んで弁が開放されて通過する炭酸ガスを少なくとも１つの小口径の孔を介して一定流量、水（湯）中に噴射させるようにしたことを特徴とする。
【００１４】
また、前記ボンベからの炭酸ガスを通過させる弁を施術者がフットペダルの踏み込み量による開度毎に一定流量の炭酸ガスを吐出可能とすることで、絞り弁が不要となりフットペダル装置構造の簡素化を図ることができる。コストの削減、故障の低減等の効果を有するものである。
【図面の簡単な説明】
【００１５】
【図１】本発明の炭酸水吐出装置の実施例を示す回路図である。
【図２】図１のフットペダル装置の具体例を示す平面図である。
【図３】他の変更例の回路図である。
【図４】図３のフットペダル装置の他の変更例を示す平面図である。
【発明を実施するための形態】
【００１６】
以下、本発明の一実施例を図１、図２と共に説明する。
１は炭酸ガスボンベ、２は該ボンベ１よりの炭酸ガスの圧力を一定圧にするためのレギュレータ、３はフットペダル装置にして、レギュレータ２からの炭酸ガスはチューブａを介し、フットペダル装置３のケース内においてより２つに分割されチューブａ１，ａ２となり、それぞれのチューブａ１，ａ２の先端にはガスの通過を制御する弁３ａ，３ｂが接続され、該弁３ａには炭酸ガス量を多く通過させる高流量用絞り３ｃが接続され、また、前記弁３ｂには炭酸ガス量を少なく通過させる低流量用絞り３ｄが接続されている。
【００１７】
前記高流量用絞り３ｃからの高流量ガスはチューブｂ１から、また、低流量用絞り３ｄからの低流量ガスはチューブｂ２から、チューブｂを介して炭酸水発生装置４に吐出される。なお、前記高流量用絞り３ｃと低流量用絞り３ｄと回動板（図示しない）を介し一体化された足で踏み込むための操作部３ｅ，３ｆが取付けられており、この操作部３ｅ，３ｆを押下することで弁３ａか弁３ｂが開放される構造となっている。
【００１８】
前記フットペダル装置３で選択された流量の炭酸ガスが供給される炭酸水発生装置４にはシャンプーボウル（図示せず）に設置された止水栓５より水（湯）が供給される。これにより、炭酸水発生装置４内に高濃度炭酸水または低濃度炭酸水が生成される。そして、炭酸水発生装置４で生成された炭酸水はシャワーホース６を介してシャワーヘッド（図示せず）に送られ洗髪を行うことが可能となる。なお、図１において４ａは小口径の孔であり、チューブｂを介して炭酸水発生装置４に供給される高流量、低流量の炭酸ガス、何れであっても当該孔を通して水（湯）中に炭酸ガスが噴射される。７は炭酸水発生装置４で生成された炭酸水の逆流を防止するため逆止弁である。
【００１９】
前記した操作部３ｅ，３ｆを押下する構造としては、前記フットペダル装置３のケース内に形成された凸部３ｇ、施術者が足を載せて踏み込む回動板（図示せず）の裏面側を３に対向させた場合、３ｇの短辺に沿って回動板裏面に凸部（図示せず）が形成されており、嵌め合わせが可能である。嵌め合わせた部位は長手方向に貫通した孔が設けられており、該孔に軸を挿入することで前記フットペダル装置と前記回動板を回動自在に係止する。また、前記凸部３ｇの左右側にはスプリング３ｈが取付けられており、このスプリングのバネ力によって回動板は常時は水平状態に維持されており、施術者が足で左右何れかを踏み込むことで、前記操作部３ｅ，３ｆの何れかが操作されて高流量用絞り３ｃか低流量用絞り３ｄが選択される。
【００２０】
次に、動作について説明する。施術者が足によって回動板の右側を踏むと操作部３ｅが操作されて弁３ａが開放され、炭酸ガスが弁３ａ、高流量用絞り３ｃ、チューブｂ１、そしてチューブｂを介して炭酸水発生装置４内に炭酸ガスが供給される。炭酸水発生装置４内に炭酸ガスと止水栓からの水（湯）との混合が行われてシャワーホース６を介してシャワーヘッドに達する。当該動作より高濃度の炭酸水を用いた洗髪作業を行うことが可能となる。
【００２１】
前記混合において水路に対し小口径の孔４ａを設けることにより、微細な炭酸ガスの泡生成、炭酸ガスを水（湯）中に勢いよく噴射することができ、炭酸水の炭酸ガス濃度を効率的に上昇させることができる。なお、小口径の孔は複数個設けることができ、また、孔の配置によって水流に渦を起こす等のより炭酸ガスを水（湯）に攪拌させるための流れの変化を起こすことも可能である。また、炭酸ガスの炭酸水発生装置４内への供給は施術者が足操作で行うことから、従来のような洗髪作業に対して面倒な問題が発生することがなく、かつ炭酸ガスの排出停止を忘れボンベ内の炭酸ガス量が少なくなるといった問題も発生しない。
【００２２】
次に、低流量の炭酸ガスを炭酸水発生装置４内に供給する場合には、施術者が回動板の左側を踏むと操作部３ｆが操作されて弁３ｂが開放されて、炭酸ガスが弁３ｂ、低流量用絞り３ｄ、チューブｂ２、そしてチューブｂを介して炭酸水発生装置４内に供給される。炭酸水発生装置４内において炭酸ガスと止水栓５から水（湯）との混合が行われてシャワーホース６を介してシャワーヘッドに達する。当該動作により低濃度の炭酸ガスでの洗髪作業を行うことが可能となる。
【００２３】
図３、図４は前記した図１、図２のフットペダル装置３の変更例を示すフットペダル装置３である。なお、図１と同一符号は同一部材を示し説明は省略する。
８は一端にチューブａが接続され、かつ低流量の炭酸ガスを通過させるための小径孔が形成された接続部８ａと、炭酸ガスの通過量を規制しない孔が形成された接続部８ｂとを有する炭酸ガス流入部材である。９は施術者が前記した回動板を踏み込み操作部９ａを押下すると、一端が前記ガス流入部材８の接続部８ａに接続されたチューブ９ｃと、一端が後述する炭酸ガス流出部材１０の接続部１０ｂに接続されているチューブ９ｄとを連通状態に接続する弁９ｂを有する第１切替弁である。
【００２４】
１０は一端にチューブｂが接続され、かつ高流量の炭酸ガスを通過させるための大径孔が形成された接続部１０ａと、炭酸ガスの通過量を規制しない孔が形成された接続部１０ｂとを有する炭酸ガス流出部材である。１１は施術者が前記した回動板を踏み込み操作部１１ａを押下すると、一端が前記ガス流出部材１０の接続部１０ａに接続されたチューブ１１ｃと、一端が炭酸ガス流入部材８の接続部８ｂに接続されているチューブ１１ｄとを連通状態に接続する弁１１ｂを有する第２切替弁である。
【００２５】
次に、前記した構成のフットペダル装置３の動作について説明する。
施術者が高濃度の炭酸水を作成するときには、前記した回動板の右側を踏み込むと操作部１１ａが弁１１ｂを開放してチューブ１１ｃ，１１ｄを接続状態とする。この接続状態において、チューブ１１ｄの先端は炭酸ガス流入部材８における接続部８ｂに接続されているので、ボンベ１よりチューブａを介して炭酸ガスガス流入部材８の接続部８ｂと接続されているチューブ１１ｄ、１１ｃを介して炭酸ガス流出部材１０の口径の大きな接続部１０ａからチューブｂに流れて炭酸水発生装置４に供給される。従って、高濃度の炭酸ガスと水（湯）との混合が行なわれて高濃度炭酸水が生成される。
【００２６】
施術者が低濃度の炭酸水を作成するときには、前記した回動板の左側を踏み込むと操作部９ａが弁９ｂを開放してチューブ９ｃ，９ｄを接続状態とする。この接続状態において、チューブ９ｃの先端は炭酸ガス流入部材８における口径の小さな接続部８ａに接続されているので、ボンベ１よりチューブａから炭酸ガス流入部材８の接続部８ａと接続されているチューブ９ｃ、９ｄを介して炭酸ガス流出部材１０の接続部１０ｂを通過しチューブｂに流れて炭酸水発生装置４に供給される。従って、低流量の炭酸ガスは炭酸水発生装置４に供給され低流量の炭酸ガスと水（湯）との混合が行なわれて低濃度炭酸水が生成される。
【００２７】
前記した構造のフットペダル装置３においては、炭酸ガスを通過させる炭酸ガス流出装置１０や炭酸ガス流入装置８を流れる炭酸ガスを通過させる穴径の大きさを変えて高流量炭酸ガスと低流量炭酸ガスを供給可能としたが、図１における施術者の足での踏み込みで炭酸ガスの通過を制御する弁３ａ，３ｂの開口度合い（炭酸ガスの通過量予め設定すること）で、高流量と低流量あるいは２段階以上の濃度切り替えが行なえるようにしても良い。また、前記した実施例にあっては、炭酸ガスの濃度を切り替えるものとして説明したが炭酸ガスの濃度を一定としたものであっても良い。
【００２８】
さらに、前記した施術者による施術を洗髪の場合として説明したが、施術としては美顔施術等も含む。
【符号の説明】
【００２９】
１      炭酸ガスボンベ
３      フットペダル装置
４      炭酸水発生器
５      止水栓
【図１】
2014237084.tif 000003
【図２】
2014237084.tif 000004
【図３】
2014237084.tif 000005
【図４】
2014237084.tif 000006